(57)【要約】【課題】乗物内に簡便な蚊取り器を設定すること。【解決手段】カバー部材１０であって、シート１の所定表面に取り付けられる害虫防除成分が保持された樹脂製のネット材１１を有する。【選択図】図１
2020137829.tif 000002
【特許請求の範囲】
【請求項１】
乗物用カバー部材であって、
乗物内装備品の所定表面に取り付けられる害虫防除成分が保持された樹脂製のネット材を有する乗物用カバー部材。
【請求項２】
請求項１に記載の乗物用カバー部材であって、
前記乗物内装備品が、乗物用シートとされる乗物用カバー部材。
【請求項３】
請求項２に記載の乗物用カバー部材であって、
前記所定表面が、シートクッションの所定表面とされる乗物用カバー部材。
【請求項４】
請求項２又は請求項３に記載の乗物用カバー部材であって、
前記所定表面が、シート周囲側面又はシート背裏面とされる乗物用カバー部材。
【請求項５】
請求項２から請求項４のいずれかに記載の乗物用カバー部材であって、
前記ネット材が、シートカバーの表面に互いの周縁同士が共縫いされて重ね付けされる乗物用カバー部材。
【請求項６】
請求項５に記載の乗物用カバー部材であって、
当該乗物用カバー部材が、更に、前記ネット材と前記シートカバーとの縫合部に介在して設けられる発光部を備えた玉縁を有する乗物用カバー部材。
【請求項７】
請求項２から請求項４のいずれかに記載の乗物用カバー部材であって、
前記ネット材が、シートパッドの表面に直接被せられる表皮材とされる乗物用カバー部材。
【発明の詳細な説明】
【技術分野】
【０００１】
本発明は、乗物用カバー部材に関する。
【背景技術】
【０００２】
従来、自動車用の蚊取り器具として、アクセサリソケットに繋いで使用される電気蚊取り器が知られている（特許文献１）。上記蚊取り器は、アクセサリソケットからの給電により蚊取り用の殺虫成分を加熱気化させて車内に拡散させる構成となっている。
【先行技術文献】
【特許文献】
【０００３】
【特許文献１】実開昭６０−１５６９８１号公報
【発明の概要】
【発明が解決しようとする課題】
【０００４】
上記従来技術では、蚊取り器が車室内の構造物とは別体のものであり、かつ、使用に電力を要する煩雑な構成となっている。本発明は、上記問題を解決するものとして創案されたものであって、本発明が解決しようとする課題は、乗物内に簡便な蚊取り器を設定することにある。
【課題を解決するための手段】
【０００５】
上記課題を解決するために、本発明の乗物用カバー部材は次の手段をとる。
【０００６】
すなわち、本発明の乗物用カバー部材は、乗物内装備品の所定表面に取り付けられる害虫防除成分が保持された樹脂製のネット材を有するものである。
【０００７】
上記構成によれば、乗物内装備品の所定表面に害虫防除成分が保持された樹脂製のネット材を取り付けるだけの簡便な構成によって、乗物内に蚊取り器を設定することができる。
【０００８】
また、本発明の乗物用カバー部材は、更に次のように構成されていてもよい。乗物内装備品が、乗物用シートとされる。
【０００９】
上記構成によれば、乗員が着座する乗物用シートの所定表面にネット材を取り付けることで、乗員付近の蚊を効果的に駆除することができる。
【００１０】
また、本発明の乗物用カバー部材は、更に次のように構成されていてもよい。所定表面が、シートクッションの所定表面とされる。
【００１１】
上記構成によれば、蚊が足元付近に集まりやすい習性を利用して、蚊をより効果的に駆除することができる。
【００１２】
また、本発明の乗物用カバー部材は、更に次のように構成されていてもよい。所定表面が、シート周囲側面又はシート背裏面とされる。
【００１３】
上記構成によれば、乗物用シートに乗員が着座しても、乗員の身体がネット材に掛かりにくいため、蚊の駆除効果を落とさないようにすることができる。また、駆除した蚊の残骸を乗物用シートの着座面上に残すことなく落下させやすくなる。
【００１４】
また、本発明の乗物用カバー部材は、更に次のように構成されていてもよい。ネット材が、シートカバーの表面に互いの周縁同士が共縫いされて重ね付けされる。
【００１５】
上記構成によれば、ネット材をシートカバーの縫い合わせ構造と張設構造とを利用して合理的に設けることができる。
【００１６】
また、本発明の乗物用カバー部材は、更に次のように構成されていてもよい。ネット材とシートカバーとの縫合部に介在して設けられる発光部を備えた玉縁を有する。
【００１７】
上記構成によれば、蚊が明るいところに集まりやすい習性を利用して、発光部を備えた玉縁に蚊を寄せ付けて蚊をより効果的に駆除することができる。
【００１８】
また、本発明の乗物用カバー部材は、更に次のように構成されていてもよい。ネット材が、シートパッドの表面に直接被せられる表皮材とされる。
【００１９】
上記構成によれば、ネット材をシートパッドの表面を被覆する表皮材として合理的に機能させるように設けることができる。
【００２０】
害虫防除成分が保持された樹脂製のネット材において、害虫防除成分としては、例えば、ペルメトリン、シペルメトリン、シフェノトリン、ｄ−フェノトリン、レスメトリン、フェンバレレート、エスフェンバレレート、フェンプロパトリン、エトフェンプロクス、トラロメトリン、デルタメトリン、シラフルオフェン、ビフェントリン等のピレスロイド化合物が用いられる。
【００２１】
樹脂としては、例えば、オレフィン系樹脂、ポリ塩化ビニル、ポリビニルアルコール、ポリカーボネート、ポリエステル、ポリメチルメタクリレート又はポリ乳酸等の熱可塑性樹脂が用いられる。
【００２２】
害虫防除成分の含有量はネット材全体の０．１〜１０重量％、好ましくは０．５〜５重量％、より好ましくは０．２〜４重量％である。
【００２３】
ネット材は、害虫防除成分の効果を向上させるためにピペロニルブトキシド等の共力剤を含有してもよい。
【００２４】
ネットの網目は、六角形状、四角形状等の任意の形状をとることができ、最大内径は、通常０．３〜５ｍｍに設定され、ラッセル編み、トリコット編み、メリヤス編み等の通常の方法によって編成される。また、平織等で織成されてもよい。
【００２５】
害虫防除成分が保持された樹脂製のネット材として、市販のネット材、例えばオリセット（登録商標）を使用することができる。
【図面の簡単な説明】
【００２６】
【図１】第１の実施形態に係る乗物用カバー部材が適用された乗物用シートを表した斜視図である。
【図２】乗物用カバー部材単体の斜視図である。
【図３】図１のＩＩＩ−ＩＩＩ線断面図である。
【発明を実施するための形態】
【００２７】
以下に、本発明を実施するための形態について、図面を用いて説明する。
【００２８】
《第１の実施形態》
（カバー部材１０（乗物用カバー部材）の構成について）
始めに、本発明の第１の実施形態に係るカバー部材１０（乗物用カバー部材）の構成について、図１〜図３を用いて説明する。なお、以下の説明において、前後上下左右等の各方向を示す場合には、各図中に示されたそれぞれの方向を指すものとする。
【００２９】
図１に示すように、本実施形態に係るカバー部材１０は、自動車用のシート１（乗物用シート）に適用されている。具体的には、上記カバー部材１０は、蚊の駆除効果を持つネット材１１から成り、シート１の所定表面に沿ってシート１の外観を損ないにくい形に具合良く設けられている。ここで、上記シート１が、本発明の「乗物内装備品」に相当する。
【００３０】
上記シート１は、着座乗員の背凭れ部となるシートバック２と、着座部となるシートクッション３と、頭凭れ部となるヘッドレスト４と、を備える。上記シート１を構成するシートバック２、シートクッション３及びヘッドレスト４は、それぞれ、次のような基本構造を備える。すなわち、各々の骨格を成す不図示のシートフレームに対して、発泡ウレタン製のシートパッド１Ｐが全体を被覆する形にセットされている。更に、上記シートパッド１Ｐ全体を表側から包むようにファブリック製のシートカバー１Ｃが被覆されている。
【００３１】
上記各シートカバー１Ｃは、上記シートバック２、シートクッション３及びヘッドレスト４の各面に沿う形に裁断された複数枚のカバーピースが、各々を個別に包み込む袋形状に縫い合わされて構成されている。また、上記シートバック２に被せられるシートカバー１Ｃのシートバック２の背裏面を被覆するカバーピースには、シートバック２の背裏下部に上向き開口のポケット２Ｂを形成するカバーピースが縫い付けられている。
【００３２】
更に、上記シートバック２に被せられるシートカバー１Ｃの左右の両サイドカマチ２Ａを被覆する各カバーピースには、それぞれ、害虫防除成分が保持された樹脂製のネット材１１が各々の表面全体を被覆するように重ね合わされた状態に取り付けられている。また、上記シートバック２に被せられるシートカバー１Ｃの上記背裏下部のポケット２Ｂを形成するカバーピースにも、ネット材１１が表面全体を被覆するように重ね合わされた状態に取り付けられている。ここで、上記シートバック２の左右の両サイドカマチ２Ａが、それぞれ、本発明の「シート周囲側面」に相当する。また、ポケット２Ｂが、本発明の「シート背裏面」に相当する。
【００３３】
また、シートクッション３に被せられるシートカバー１Ｃの左右の両サイドカマチ３Ａを被覆する各カバーピース及び後面３Ｂを被覆するカバーピースにも、それぞれ、害虫防除成分が保持された樹脂製のネット材１１が表面全体を被覆するように重ね合わされた状態に取り付けられている。更に、ヘッドレスト４に被せられるシートカバー１Ｃの左右の両サイドカマチ４Ａを被覆する各カバーピース及びヘッドレスト４の天板面４Ｃと後面４Ｂとを被覆するカバーピースにも、それぞれ、ネット材１１が表面全体を被覆するように重ね合わされた状態に取り付けられている。
【００３４】
ここで、上記シートクッション３の左右の両サイドカマチ３Ａと後面３Ｂとが、それぞれ、本発明の「シート周囲側面」に相当する。また、ヘッドレスト４の左右のサイドカマチ４Ａが、それぞれ、本発明の「シート周囲側面」に相当する。また、ヘッドレスト４の後面４Ｂが、本発明の「シート背裏面」に相当する。
【００３５】
上述した各ネット材１１は、図２に示すように、それぞれ、防虫剤の練り込まれた糸が面状に編み込まれた構成とされ、それらの周縁に沿って縁取りテープ１２が取り付けられて縫い代が形成された構成とされる。上述した各ネット材１１は、図３に示すように、各々が重ね合わされるシートカバー１Ｃの各カバーピースと略合致する面形状に形成されている。そして、各ネット材１１は、それらの重ね合わされるシートカバー１Ｃの各カバーピースと共に、各々の周縁が隣り合う各カバーピースの対応する周縁と共縫いされている（縫合部１Ｃａ）。
【００３６】
詳しくは、上記各縫合部１Ｃａには、それぞれ、それらの縫製ラインに沿って線状に延びる樹脂製の装飾部材となる玉縁１Ｄが介在するように設けられている。これら玉縁１Ｄは、上記各縫合部１Ｃａにて各ネット材１１の周縁と対応するシートカバー１Ｃの各カバーピースの周縁との間に挟まれて縫合される細長板状の脚部１Ｄｂと、脚部１Ｄｂの表側の縁部から各縫合部１Ｃａを表側から覆うように膨らみ状に張り出す玉部１Ｄａと、を有する。
【００３７】
上記各玉部１Ｄａには、蚊を誘引しやすい効果のある紫外線ＬＥＤ等の紫外線ランプから成る発光体が組み込まれている。それにより、各玉部１Ｄａから発せられる光により、蚊が各玉部１Ｄａの近傍に誘引されやすくなる。その結果、蚊が各ネット材１１にとまりやすくなり、蚊を効果的に駆除することができる。ここで、各玉部１Ｄａが、それぞれ、本発明の「発光部」に相当する。
【００３８】
上記各ネット材１１は、シート１に乗員が着座した際の着座面となるシートバック２の前面、シートクッション３の上面、及びヘッドレスト４の前面から外れた各面に設けられている。それにより、シート１に乗員が着座しても、乗員の身体が各ネット材１１に掛かりにくいため、蚊の駆除効果を落とさないようにすることができる。また、シート１が繰り返し着座使用されても、各ネット材１１が擦れにくくなるため、各ネット材１１を長持ちさせることができる。また、駆除した蚊の残骸をシート１の着座面上に残すことなくフロア上に落下させやすくなる。
【００３９】
また、上記各ネット材１１は、車両のフロア面に近い部位となるシートクッション３の周囲側面となる両サイドカマチ３Ａや後面３Ｂに設けられている。それにより、蚊が足元付近に集まりやすい習性を利用して、その近い位置にあるシートクッション３の周囲側面に設けられた各ネット材１１によって蚊をより効果的に駆除することができる。
【００４０】
また、上記各ネット材１１は、それらの重ね合わされるシートカバー１Ｃの対応する各カバーピースと共に、各々の周縁が隣り合う各カバーピースの対応する周縁と共縫いされている（縫合部１Ｃａ）。それにより、各ネット材１１をシートカバー１Ｃの対応する各カバーピースに縫い付けるための縫合を合理化することができる。併せて、各ネット材１１をシートカバー１Ｃの対応する各カバーピースと広く面合わせ状にフィットさせた形に設けることができ、互いに一体感のある調和した形に設けることができる。
【００４１】
上記のようにシート１の所定表面に蚊の駆除効果を持つネット材１１が設けられていることで、車内に人がいる時はもちろんのこと、車内に人がいない時にも車内に入り込んだ蚊を駆除することができる。
【００４２】
（まとめ）
以上をまとめると、第１の実施形態に係るカバー部材１０は、次のような構成となっている。すなわち、乗物用カバー部材（１０）は、乗物内装備品（１）の所定表面に取り付けられる害虫防除成分が保持された樹脂製のネット材（１１）を有する。上記構成によれば、乗物内装備品（１）の所定表面にネット材（１１）を取り付けるだけの簡便な構成によって、乗物内に蚊取り器を設定することができる。
【００４３】
また、乗物内装備品（１）が、乗物用シート（１）とされる。上記構成によれば、乗員が着座する乗物用シート（１）の所定表面にネット材（１１）を取り付けることで、乗員付近の蚊を効果的に駆除することができる。
【００４４】
また、上記所定表面が、シートクッション（３）の所定表面とされる。上記構成によれば、蚊が足元付近に集まりやすい習性を利用して、蚊をより効果的に駆除することができる。
【００４５】
また、上記所定表面が、シート周囲側面（２Ａ，３Ａ，３Ｂ，４Ａ）又はシート背裏面（２Ｂ，４Ｂ）とされる。上記構成によれば、乗物用シート（１）に乗員が着座しても、乗員の身体がネット材（１１）に掛かりにくいため、蚊の駆除効果を落とさないようにすることができる。また、駆除した蚊の残骸を乗物用シート（１）の着座面上に残すことなく落下させやすくなる。
【００４６】
また、ネット材（１１）が、シートカバー（１Ｃ）の表面に互いの周縁同士が共縫いされて重ね付けされる。上記構成によれば、ネット材（１１）をシートカバー（１Ｃ）の縫い合わせ構造と張設構造とを利用して合理的に設けることができる。
【００４７】
また、乗物用カバー部材（１０）が、更に、ネット材（１１）とシートカバー（１Ｃ）との縫合部（１Ｃａ）に介在して設けられる発光部（１Ｄａ）を備えた玉縁（１Ｄ）を有する。上記構成によれば、蚊が明るいところに集まりやすい習性を利用して、発光部（１Ｄａ）を備えた玉縁（１Ｄ）に蚊を寄せ付けて蚊をより効果的に駆除することができる。
【００４８】
《その他の実施形態について》
以上、本発明の実施形態を１つの実施形態を用いて説明したが、本発明は上記実施形態のほか、以下に示す様々な形態で実施することができるものである。
【００４９】
１．本発明の乗物用カバー部材は、鉄道等の自動車以外の車両や航空機・船舶等の様々な乗物にも適用することができるものである。また、乗物用カバー部材は、乗物のフロアや側壁、天井、コンソールやテーブル等の乗物用シート以外の乗物内装備品の所定表面に取り付けられるものであっても良い。また、乗物用カバー部材は、害虫防除成分が保持された樹脂製のネット材単体で構成されるものの他、他のカバーピースと縫い合わされるなどして乗物のトリムカバーを構成するものであっても良い。
【００５０】
２．上記乗物用カバー部材を構成する害虫防除成分が保持された樹脂製のネット材は、乗物用シートの着座面（所定表面）上に設けられていても良い。その場合には、乗員の着座により一部が乗員の身体に隠れることとなるが、乗員の身体に近い部位にネット材を位置させることができる。また、上記ネット材は、シートクッションの裏面（シート背裏面）に設けられていても良い。その場合には、蚊が足元付近に集まりやすい習性を利用して、着座乗員から見えないシートクッションの裏面で蚊を効果的に駆除することができ、なおかつ、その残骸を着座乗員から見えないシートクッションの裏側の位置からフロア上に落とすことができる。また、併せて、シートクッションの裏面に、蚊を誘引しやすい効果のある紫外線ＬＥＤ等の紫外線ランプから成る発光部を備えた玉縁を設けても良い。
【００５１】
３．また、ネット材は、シートパッドの表面に直接被せられる表皮材とされるものであっても良い。その場合には、ネット材をシートパッドの表面を被覆する表皮材として合理的に機能させることができる。また、ネット材は、乗物内装備品の所定表面に対して、接着剤や熱溶着等の縫合以外の結合手段によって取り付けられるものであっても良い。また、ネット材は、乗物内装備品の所定表面に対して、面ファスナやホックやマグネット等の着脱可能な結合手段によって取り付けられるものであっても良い。着脱可能な構成とすることで、ネット材が経年劣化した時や破損した時に、別のものとの取り換え作業を簡便に行うことができる。
【００５２】
また、ネット材は、乗物内装備品の所定表面に対して、必ずしもその面全体がフィットする形に設けられるものでなくても良く、一部分のみが結合されて吊り下げられるように設けられるものであっても良い。また、ネット材は、乗物内装備品の所定表面に対して、同所定表面に凹部が形成されている場合に、同凹部を面状に覆うように凹部の底面から浮いた状態で設けられるものであっても良い。
【符号の説明】
【００５３】
１      シート（乗物用シート、乗物内装備品）
１Ｐ    シートパッド
１Ｃ    シートカバー
１Ｃａ  縫合部
１Ｄ    玉縁
１Ｄａ  玉部（発光部）
１Ｄｂ  脚部
２      シートバック
２Ａ    サイドカマチ（シート周囲側面）
２Ｂ    ポケット（シート背裏面）
３      シートクッション
３Ａ    サイドカマチ（シート周囲側面）
３Ｂ    後面（シート周囲側面）
４      ヘッドレスト
４Ａ    サイドカマチ（シート周囲側面）
４Ｂ    後面（シート背裏面）
４Ｃ    天板面
１０    カバー部材（乗物用カバー部材）
１１    ネット材
１２    縁取りテープ
【図１】
2020137829.tif 000003
【図２】
2020137829.tif 000004
【図３】
2020137829.tif 000005